(57)【要約】前面（１４）および反対側の背面（１６）と、上面（１８）および反対側の底面（２０）と、２つの対向する側面（２２、２４）とを備えた本体（１２）を含む冶金炉用の冷却パネル（１０）。本体（１２）はその中に少なくとも１つの冷却チャネルを有し、冷却チャネルは背面（１６）に開口部を有し、使用中に本体（１２）の前面（１４）は炉の内部に向けられている。本発明によれば、冷却パネル（１０）は、前面（１４）に形成された少なくとも１つの細長い凹部（３０）に配置された少なくとも１つの冷却パイプ（３２）を含む。冷却パイプ（３２）は、細長い中間部（３４）と、その両端に角度付き分岐部（３６、３８）とを有し、冷却パイプ（３２）は冷却チャネルを形成する。冷却パイプ（３２）は、本体（１２）の背面（１６）にある開口部を通して角度付き分岐部（３６、３８）が突出するように、細長い凹部（３０）に配置される。【選択図】図１
2020508430.tif 000002
【特許請求の範囲】
【請求項１】
前面（１４）および反対側の背面（１６）と、上面（１８）および反対側の底面（２０）と、２つの対向する側面（２２、２４）とを備えた本体（１２）であって、前記本体（１２）は少なくとも１つの冷却チャネルを有し、前記冷却チャネルは前記背面（１６）に開口部を有し、使用中に前記本体（１２）の前記前面（１４）が炉の内部に向けられている、本体（１２）を含み、
細長い中間部（３４）と、その両端に角度付き分岐部（３６、３８）とを有する少なくとも１つの冷却パイプ（３２）であって、前記少なくとも１つの冷却パイプ（３２）が前記冷却チャネルを形成することを特徴とし、
前記本体（１２）は、前記前面（１４）に形成された少なくとも１つの細長い凹部（３０）を備え、前記少なくとも１つの冷却パイプ（３２）は、前記角度付き分岐部（３６、３８）が前記本体（１２）の前記背面（１６）にある前記開口部を通って突出するように前記少なくとも１つの細長い凹部（３０）に配置されている、冶金炉用の冷却パネル（１０）。
【請求項２】
前記少なくとも１つの冷却パイプ（３２）は、前記本体（１２）に配置されたときに、前記本体（１２）の前記前面（１４）のプロファイルと一致するプロファイルを備えた前面（４０）を有する、請求項１に記載の冷却パネル（１０）。
【請求項３】
前記本体（１２）の前記前面（１４）は、リブ（２６）および溝（２８）が交互に並んだ構造化表面を有し、前記少なくとも１つの冷却パイプ（３２）の前記前面（４０）は、リブ（４４）および溝（４６）が交互に並んだ一致する構造化表面を有する、請求項２に記載の冷却パネル（１０）。
【請求項４】
前記少なくとも１つの冷却パイプ（３２）の前記前面（４０）は、前記少なくとも１つの冷却パイプ（３２）と一体に形成される、請求項１〜３のいずれかに記載の冷却パネル（１０）。
【請求項５】
前記少なくとも１つの冷却パイプ（３２）および前面（４０）が、押し出し、機械加工、鋳造、または３Ｄ印刷によって形成される、請求項４に記載の冷却パネル（１０）。
【請求項６】
前記少なくとも１つの冷却パイプ（３２）の前記中間部（３４）が、円形、楕円形、または長方形の断面を有する、請求項１〜５のいずれかに記載の冷却パネル（１０）。
【請求項７】
前記少なくとも１つの細長い凹部（３０）および前記少なくとも１つの冷却パイプ（３２）は、自動ロック構成を提供するように形成される、請求項１〜６のいずれかに記載の冷却パネル（１０）。
【請求項８】
前記少なくとも１つの細長い凹部（３０）および前記少なくとも１つの冷却パイプ（３２）の一方は突起（４８）を備え、前記少なくとも１つの細長い凹部（３０）および前記少なくとも１つの冷却パイプ（３２）の他方は、その中に前記突起（４８）を受け入れるためのチャネル（５０）を備える、請求項７に記載の冷却パネル（１０）。
【請求項９】
前記本体（１２）の前記リブ（２６）の少なくとも１つおよび前記冷却パイプ（３２）の前記リブ（４４）の少なくとも１つには、協働する貫通穴（５６、５８）が設けられ、前記貫通穴（５６、５８）は、前記少なくとも１つの冷却パイプ（３２）が前記少なくとも１つの細長い凹部（３０）内に配置されたときに整列し、ボルト（６０）が前記貫通穴（５６、５８）を通して配置される、請求項１〜８のいずれかに記載の冷却パネル（１０）。
【請求項１０】
前記ボルト（６０）はねじ付きシャフト端部を備え、前記シャフト端部と協働するためのナット（６２）が設けられる、請求項９に記載の冷却パネル（１０）。
【請求項１１】
前記少なくとも１つの細長い凹部（３０）は、前記本体（１２）の前記側面（２２、２４）に実質的に平行な方向で前記前面（１４）に形成される、請求項１〜８のいずれかに記載の冷却パネル（１０）。
【請求項１２】
前記少なくとも１つの細長い凹部（３０）は、前記本体（１２）の前記側面（２２、２４）に実質的に垂直な方向で前記前面（１４）に形成される、請求項１〜８のいずれかに記載の冷却パネル（１０）。
【発明の詳細な説明】
【技術分野】
【０００１】
本発明は、一般に、例えば高炉などの冶金炉用の冷却パネル、特に損傷した冷却パネルを修理する手段を備えた冷却パネルに関する。
【背景技術】
【０００２】
「ステーブ」とも呼ばれる冶金炉用冷却パネルは、当技術分野で周知である。冷却パネルは、例えば高炉またはアーク炉としての冶金炉の外殻の内壁を覆うために使用され、炉の内部と炉の外殻との間に排熱保護スクリーンを提供する。冷却パネルは一般に、耐火レンガのライニング、耐火グナイティング、または炉内のプロセスで生成された付着層のための固定手段をさらに提供する。
【０００３】
元来、冷却パネルは、冷却チャネルが鋳込まれた鋳鉄板であった。鋳鉄製ステーブの代替として、銅製ステーブが開発された。現在、冶金炉のほとんどの冷却パネルは銅製、銅合金製であるか、より近年では鋼製である。
【０００４】
耐火レンガのライニング、耐火グナイティング材料、またはプロセスで生成された付着層は、パネル状本体の高温面の前に配置された保護層を形成する。この保護層は、炉内に広がる過酷な環境に起因する劣化から冷却パネルを保護するのに役立つ。しかし実際には、炉はこの保護層なしでも運転され、その結果、高温面の層状リブが侵食される。
【０００５】
当技術分野で知られているように、高炉には最初に、ステーブの前面に耐火レンガのライニングまたはステーブの溝に挿入された鋼の刃が設けられているが、このライニングは寿命中に摩耗する。特に、朝顔部では、耐火ライニングが比較的急速に消失することが観察されている。
【０００６】
主に摩滅によって冷却パネルが摩耗すると、冷却チャネルを循環する冷却材が炉内に漏れたり、高炉ガスが冷却回路に入ることがある。もちろん、このような漏れは避ける必要がある。
【０００７】
そのような漏れが検出された場合、最初の反応は一般に、次のプログラムされた停止まで、漏れている冷却チャネルへの冷却材の供給を停止することであり、その間、例えば特許文献１に記載されているように、冷却チャネルを通してフレキシブルホースを供給することができる。その後、フレキシブルホースを冷却材供給部に接続し、冷却パネル内のフレキシブルホースを介して冷却材を供給することができる。したがって、損傷した冷却パネルを交換する必要なく、冶金炉をさらに運転することができる。
【０００８】
しかし、漏れている冷却チャネルを通る冷却材の供給が中断されると、炉からの材料が冷却チャネルに入ることによってフレキシブルホースのその後の設置が妨げられる場合がある。
【０００９】
冷却パネルがひどく摩耗すると、チャネルを囲む銅の温度が上昇し、銅の機械的特性が失われる。場合によっては、これにより冷却プレートが完全に破壊される可能性があり、炉殻は高熱負荷および摩滅に直接さらされる。
【００１０】
また、冷却チャネルへのフレキシブルホースの設置はかなり複雑である。フレキシブルホースは、冷却チャネルよりも直径が小さく、冷却チャネルの角部／隅部で操作するためにかなり薄い壁厚を有する必要がある。フレキシブルホースのこのような薄い壁厚は、摩滅に長時間耐えることができない。したがって、フレキシブルホースは、冷却パネルの寿命を短期間延長することしかできない。
【発明の概要】
【発明が解決しようとする課題】
【００１１】
本発明の目的は、冷却材が漏れた場合に迅速かつ効果的な修理を提供する改良された冷却パネルを提供することである。本発明のさらなる目的は、より速く、より低いコストで製作できる冷却パネルを提供することである。この目的は、請求項１に記載の冷却パネルにより達成される。
【００１２】
本発明は、前面および反対側の背面と、上面および反対側の底面と、２つの対向する側面とを備えた本体を含む冶金炉用の冷却パネルに関する。本体はその中に少なくとも１つの冷却チャネルを有し、冷却チャネルは背面に開口部を有する。使用中、本体の前面は炉内に向けられる。
【００１３】
本発明によれば、冷却パネルは、細長い中間部とその両端に角度付き分岐部とを有する少なくとも１つの冷却パイプを備え、少なくとも１つの冷却パイプは冷却チャネルを形成する。
【００１４】
冷却パネルは、本体の前面に形成された少なくとも１つの細長い凹部をさらに備え、少なくとも１つの冷却パイプは、角度付き分岐部が本体の背面の開口部から突出するように少なくとも１つの細長い凹部に配置されている。
【００１５】
冷却パネルの前面に形成された凹部に冷却パイプを設置することにより、そのような冷却パイプは迅速に設置することができ、これは損傷した冷却パイプを交換する場合に特に重要である。実際、損傷した冷却パイプを凹部から取り外し、損傷のない新しい冷却パイプを設置して、冷却パネルをさらに使用できるようにすることができる。
【００１６】
本発明の冷却パイプは、従来の冷却パネル、すなわち、そのような冷却パイプを受け入れるように当初考えられていなかった冷却パネルが損傷した冷却チャネルを修理するためにも使用できることに留意されたい。一般に、従来の冷却パネルが損傷した場合、冷却チャネル内に冷却材通路を作成しようとするために、損傷した冷却チャネルにフレキシブルホースを通過させることがある。しかし、このようなフレキシブルホースの設置は、かなり繊細で時間がかかる。このようなフレキシブルホースを設置する代わりに、冷却パネルの前面に細長い凹部を形成して、この新しく形成した凹部に本発明による冷却パイプを設置することが提案される。
【００１７】
冷却パイプが中間部およびその両端に角度付き分岐部を含むという事実も特に重要である。実際、冷却パイプが冷却パネル本体内に配置されたときに、冷却パイプの角度付き分岐部は、冷却パネルの背面から突出するように形成および配置される。これらの突出した角度付き分岐部は冷却材供給パイプとして機能し、冷却材供給パイプは、従来技術のソリューションでは冷却パネルの背面に溶接されていた。しかし、そのような溶接にはかなり時間がかかり、したがって冷却パネルの製造がかなり高価になる。一体型の供給パイプを備えた冷却パイプを提供することで、このような溶接は不要になり、製造プロセスが高速化され、コストが節約される。
【００１８】
また、従来の冷却パネルの製造では、本体に冷却チャネルを形成し、その後にパネルを形成および成形し、最後に供給パイプを溶接する必要がある。本発明によれば、冷却パイプの設置後に冷却パネル本体を形成および成形する必要はなく、したがって製造時間およびコストが再び節約される。
【００１９】
有利には、冷却パイプは、本体内に配置されたときに本体の前面のプロファイルと一致するプロファイルを備えた前面を有する。実際、本体の前面は、リブと溝が交互に並んだ構造化表面を有する。この場合、冷却パイプの前面は、リブと溝が交互に並んだ一致する構造化表面を有することが好ましい。実際、冷却パネルは一般に、交互に並んだリブと溝を前面に備えている。冷却パイプは冷却プレート本体の前面にある凹部に配置されるため、一致する構造化表面を有する冷却パイプの前面は、冷却パネルが典型的で一般的なリブと溝の構造を有することを可能にする。
【００２０】
冷却パイプの前面は、冷却パイプと一体に形成されていることが好ましい。これは、安全で堅牢な構造を保証するだけでなく、冷却パイプの前面と冷却パイプを通過する冷却材との間の良好な熱伝達も可能にする。
【００２１】
冷却パイプと前面は、押し出し、機械加工、鋳造、または３Ｄ印刷によって形成され得る。特に３Ｄ印刷は、複雑な形状の形成を可能にする。
【００２２】
冷却パイプの中間部は、冷却パネル本体の凹部の形状に応じて、円形、楕円形、または長方形の断面を有し得る。
【００２３】
有利には、細長い凹部内に冷却パイプを確実に維持し、冷却パイプと冷却パネル本体との間の適切な伝導熱伝達を確保するために、細長い凹部および冷却パイプは自動ロック機構を提供するように形成される。
【００２４】
細長い凹部は突起を備えてもよく、一方、冷却パイプはその中に突起を受け入れるためのチャネルを備えてもよい。あるいはもちろん、冷却パイプが突起を備えてもよく、一方で細長い凹部がチャネルを備える。突起およびチャネルは、局所的であっても、冷却パイプの全長にわたって延在してもよい。冷却パイプを細長い凹部に設置し凹部の突起に係合させるために、冷却パイプは、突起をチャネルに押し込むのに十分な力で細長い凹部に押し込まれてもよい。代替的に、冷却パネル本体は膨張するように加熱され、それによって突起がチャネル内に配置されることを可能にしてもよい。その後、冷却パネルが冷えると冷却パネルは収縮し、突起はチャネルに安全に配置される。
【００２５】
本体のリブの少なくとも１つと冷却パイプのリブの少なくとも１つには、協働する貫通穴を設けてもよく、冷却パイプが細長い凹部内に配置されると貫通穴は整列する。次に、貫通穴にボルトを配置することができる。そのようなボルトにより、冷却パイプを細長い凹部内に固定することが可能になる。
【００２６】
好ましくは、ボルトはねじ付きシャフト端部を備え、シャフト端部と協働するためにナットが提供される。そのようなナットを締めると、冷却パイプを細長い凹部内にきつく固定することができる。これは、冷却パイプが細長い凹部から抜け落ちるのを防ぐだけでなく、細長い凹部の側壁を冷却パイプに強く押し付けることにより、冷却パイプと冷却パネル本体との間の熱伝達も改善する。
【００２７】
好ましい実施形態によれば、少なくとも１つの細長い凹部は、冷却パネル本体の側面に本質的に平行な方向で前面に形成される。本体の前面が、リブと溝が交互に並んだ構造化プロファイルを有する場合、そのようなリブと溝は一般に、本体の側面に垂直な方向に配置される。したがって、冷却パイプの前面は、本体の前面のプロファイルと一致するプロファイルを有する必要があり、すなわち、リブと溝を有する必要がある。
【００２８】
別の実施形態によれば、少なくとも１つの細長い凹部は、冷却パネル本体の側面に本質的に垂直な方向で前面に形成される。この場合、細長い凹部は、本体の前面のリブと溝に平行になる。したがって、冷却パイプの前面の形状をかなり単純化することができる。好ましくは、細長い凹部は、本体の前面のリブ内に完全に形成されてもよい。
【図面の簡単な説明】
【００２９】
本発明のさらなる詳細および利点は、添付の図面を参照して、いくつかの非限定的な実施形態の以下の詳細な説明から明らかになるであろう。
【図１】本発明の第１の実施形態による冷却パネルの斜視図である。
【図２】図１の冷却パネルの本体の斜視図である。
【図３】図１の冷却パネルの冷却パイプの斜視図である。
【図４】本発明の第２の実施形態による冷却パネルの斜視図である。
【図５】図４の冷却パネルの本体の斜視図である。
【図６】図４の冷却パネルの冷却パイプの斜視図である。
【図７】図４の冷却パネルの断面図である。
【図８】さらなる実施形態による冷却パネルを横切る一連の断面図である。
【図９】本発明のさらなる実施形態による冷却パネルの斜視図である。
【発明を実施するための形態】
【００３０】
図１は、本発明の第１の実施形態による冷却パネル１０を概略的に示しており、冷却パネル１０は典型的には、例えば銅、銅合金、鋳鉄、鋼、またはこれらの材料のハイブリッド組み合わせの鋳造または鍛造体で作られたスラブから形成された本体１２を含む。本体１２は、冶金炉の内部に面する前面１４（しばしば高温面と呼ばれる）と、炉殻に面する反対側の背面１６（しばしば冷面と呼ばれる）とを有する。冷却パネル１０の本質的に長方形の本体１２は、上面１８と、反対側の底面２０と、２つの対向する側面２２、２４とを有する。少なくとも１つの冷却チャネルが本体１２内に配置され、そこを通って冷却材が供給される。本体１２は、冷却チャネルの入口端部および出口端部に対応する背面１６に開口部を有する。
【００３１】
当該技術分野で知られているように、本体１２の前面１４は、特にリブ２６および溝２８が交互に並んだ構造化表面を有することが有利である。冷却パネル１０が炉に取り付けられると、溝２８および層状リブ２６は一般に水平方向に配置されて、耐火レンガのライニング（図示せず）用の固定手段を提供する。
【００３２】
冷却パネル１０は、その前面１４に細長い凹部３０（図２でより良く見える）を含む。このような細長い凹部３０は、図２に示すように、上面１８から底面２０まで延出してもよい。
【００３３】
冷却パネル１０は、図３に示すように冷却パイプ３２をさらに備える。このような冷却パイプ３２は、細長い中間部３４と、その両端に角度付き分岐部３６、３８とを有する。冷却パイプ３２は、本体１２の細長い凹部３０の内側にぴったりと嵌るように寸法が決められており、一方、角度付き分岐部３６、３８は本体１２の背面１６から突出する。冷却パイプ３４の中間部３４は、本体１２内の冷却チャネルを形成し、一方、角度付き分岐部３６、３８は、冷却材供給パイプを形成する。
【００３４】
冷却パイプ３２はさらに、交互に並んだリブ４４および溝４６を形成する切り抜き部４２を有する構造化表面を備えた前面４０を有する。冷却パイプ３２の前面４０のリブ４４および溝４６は、冷却パイプ３２が本体１２の細長い凹部３０に配置されたときに、本体１２の前面１４のリブ２６および溝２８と一致するように形成されている。
【００３５】
冷却パイプ３２は、本体１２の前面１４に形成された細長い凹部３０を補完する形状を有する。
【００３６】
冷却パイプ３２を細長い凹部３０内に維持するために、細長い凹部３０には、冷却パイプ３２の側部に配置されたチャネル５０と協働する突起４８が設けられ、自動ロック構造を提供する。
【００３７】
冷却パイプ３２が細長い凹部３０に配置されると、冷却パイプは、突起４８およびチャネル５０の配置によって所定の位置にしっかりと維持される。冷却パイプ３２は細長い凹部３０と相補的な形状を有するため、冷却パイプ３２と本体１２は冷却パネル１０を形成し、冷却パネル１０の前面１４と冷却パイプ３２内を循環する冷却材との間の熱伝達が維持される。
【００３８】
典型的な冷却パネル１０は、炉の内部と炉の外殻との間に排熱保護スクリーンを提供するために複数の冷却チャネルを備えている。図１〜図３に示す実施形態では、冷却パネル１０には、３つのそのような冷却チャネルが設けられている。言い換えれば、本体１２は、３つの細長い凹部３０とその中に配置された３つの冷却パイプ３２とを含む。
【００３９】
高炉などの操業中、耐火レンガのライニングは、負荷物質の降下により腐食し、冷却パネルは無防備になり、高炉内の過酷な環境にさらされる。
【００４０】
本体１２の前面１４には、冷却パネルを摩滅から保護する手段を設けることができる。そのような手段の一例は、溝２８、４６に配置された金属インサート（図示せず）であってもよい。
【００４１】
しかし、冷却パネル１０が高炉内の過酷な環境にさらされると、冷却パネル１０と冷却パイプ３２の摩滅が生じる。冷却パイプ３２が損傷すると、冷却パイプ３２からの冷却材が炉内に漏れる可能性がある。この場合、損傷した冷却パイプ３２は取り外され、損傷のない新しい冷却パイプ３２と交換される。
【００４２】
本発明の冷却パイプ３２は、従来の冷却パネルの損傷した冷却チャネルを修理するためにも使用できることに留意されたい。そのような従来の冷却パネル本体内の冷却チャネルは、一般に、例えば鋳造または穴あけなど、任意の既知の手段によって得られる。冷却パネルの背面に供給パイプが溶接で取り付けられており、冷却材は冷却チャネルを介して供給される。冷却材は、冷却パネル本体の材料と直接接触している。冷却パネルが動作中に損傷して、冷却チャネルと冷却パネルの前面との間に摩滅または亀裂が形成される場合、冷却チャネルからの冷却材が炉内に漏れる可能性がある。このような冷却パネルを修理するために、冷却パネルの前面に細長い凹部を切り込むことができる。次に、本発明による冷却パイプ３２を細長い凹部に設置し、冷却パネルを再び使用することができる。
【００４３】
図４、図５および図６は、本発明の第２の実施形態による冷却パネル１０を概略的に示す。この第２の実施形態の特徴の多くは第１の実施形態の特徴と同一であるため、ここでは繰り返さない。主に違いが強調表示されている。図６に見られるように、冷却パイプ３２は、それが接続される中間部３４の断面よりもかなり広い前面４０を有する。ここでも、本体１２の前面１４の細長い凹部３０は、冷却パイプ３２がその中にぴったりと嵌るように、冷却パイプ３２の形状を補完するように形作られている。図５はまた、本体１２の背面１６の開口部５２、５４を示し、そこを通って角度付き分岐部３６、３８が供給される。
【００４４】
冷却パイプ３２を細長い凹部３０に固定するために、本体１２のいくつかのリブ２６と冷却パイプ３２のいくつかのリブ４４には、協働する貫通穴５６、５８が設けられている。冷却パイプ３２が細長い凹部３０内に正しく配置されると、貫通穴５６、５８が整列し、そこを通ってボルト６０が貫通する。図７は、図４の冷却パネル１０の横断面図であり、３つの細長い凹部３０に配置された３つの冷却パイプ３２を示す。図７はまた、本体１２および冷却パイプ３２の両方のリブ２６、４４を横切るシャフト６０を示す。シャフト６０の各端部には、ボルト６０のねじ付き端部と協働するナット６２を配置することができる。ナット６２を締めることにより、本体１２と冷却パイプ３２との間の接続をより強くすることができる。これは、冷却パイプ３２が所定の位置に留まることを保証するだけでなく、冷却パイプ３２と本体１２との間の熱伝達も改善する。
【００４５】
図８は、冷却パネル１０のさらなる実施形態を示して、さらなる設計を例示している。冷却パイプ３２の中間部３４は、例えば、ＡおよびＣに示すように丸い断面、またはＢに示すように楕円形の断面を有してもよい。実際には、鍛造、鋳造、または３Ｄ印刷によって得ることができるあらゆる断面が想定され得る。
【００４６】
冷却パイプ３２の前面４０は、様々な形状および／または幅であってもよい。Ａでは、前面４０は、本体１２の前面が廃止されるように、隣接する冷却パイプ３２の前面が互いに接触するような幅を有する。一方、ＢおよびＣでは、冷却パイプ３２の前面４０は、中間部３４の断面をほとんど超えない幅を有する。これらは、上述の第１および第２の実施形態の両方に適用され得る変形であることに留意されたい。
【００４７】
冷却パネル１０の本体１２は、銅、鋼、鋳鉄、またはそれらに基づく任意の合金で作られてもよい。同様に、冷却パイプ３２は、銅、鋼、鋳鉄、またはそれらに基づく任意の合金で作られてもよい。
【００４８】
本発明のさらなる実施形態が図９に示されており、細長い凹部３０は、冷却パネル１０の本体１２の前面１４のリブおよび溝２６、２８に平行な方向に配置されている。細長い凹部３０は、リブ２６内に完全に配置されてもよく、好ましくは、細長い凹部３０は、リブ２６の全長にわたって、すなわち一方の側面２２から他方の側面２４まで延出する。冷却パイプ３２の前面４０は、細長い凹部３０を完全に充填するように形成され、その後、冷却パイプ３２は、冷却パイプ３２の前面４０がリブ２６と同一平面になるようにその中に設置される。 
【符号の説明】
【００４９】
１０  冷却パネル
１２  本体
１４  前面
１６  背面
１８  上面
２０  底面
２２  側面
２４  側面
２６  リブ
２８  溝
３０  細長い凹部
３２  冷却パイプ
３４  中間部
３６  角度付き分岐部
３８  角度付き分岐部
４０  前面
４２  切り抜き部
４４  リブ
４６  溝
４８  突起
５０  チャネル
５２  開口部
５４  開口部
５６  貫通穴
５８  貫通穴
６０  ボルト
６２  ナット
【先行技術文献】
【特許文献】
【００５０】
【特許文献１】特願２０１５１８７２８８Ａ号明細書
【図１】
2020508430.tif 000003
【図２】
2020508430.tif 000004
【図３】
2020508430.tif 000005
【図４】
2020508430.tif 000006
【図５】
2020508430.tif 000007
【図６】
2020508430.tif 000008
【図７】
2020508430.tif 000009
【図８Ａ】
2020508430.tif 000010
【図８Ｂ】
2020508430.tif 000011
【図８Ｃ】
2020508430.tif 000012
【図９】
2020508430.tif 000013
【国際調査報告】
2020508430.tif 000014
2020508430.tif 000015